(57)【要約】【課題】効率的な処理によりデータの誤通信を防止することができる通信端末装置を提供する。【解決手段】ユーザによって入力された宛先に基づいて、相手先通信端末装置への通信を実行する通信端末装置であって、入力された宛先を取得する受付部と、入力された宛先に基づいて、入力された宛先とは異なる複数の宛先を生成する宛先生成部と、入力された宛先と生成された複数の宛先とを表示する表示部と、表示部に表示された、入力された宛先と生成された複数の宛先との中から、ユーザによって選択された１つの宛先を取得する選択部と、入力された宛先と選択された１つの宛先とが一致するかどうかを判定する判定部と、判定部によって、入力された宛先と選択された１つの宛先とが一致すると判定された場合には相手先通信端末装置への通信を実行し、一致すると判定されなかった場合には相手先通信端末装置への通信を実行しない通信部とを備える。【選択図】図３
2013004996.tif 000002
【特許請求の範囲】
【請求項１】
ユーザによって入力された宛先に基づいて、相手先通信端末装置への通信を実行する通信端末装置であって、
前記入力された宛先を取得する受付部と、
前記入力された宛先に基づいて、前記入力された宛先とは異なる複数の宛先を生成する宛先生成部と、
前記入力された宛先と生成された前記複数の宛先とを表示する表示部と、
前記表示部に表示された、前記入力された宛先と生成された前記複数の宛先との中から、ユーザによって選択された１つの宛先を取得する選択部と、
前記入力された宛先と前記選択された１つの宛先とが一致するかどうかを判定する判定部と、
前記判定部によって、前記入力された宛先と前記選択された１つの宛先とが一致すると判定された場合には前記相手先通信端末装置への通信を実行し、一致すると判定されなかった場合には前記相手先通信端末装置への通信を実行しない通信部と
を備える通信端末装置。
【請求項２】
前記表示部は、
前記判定部が前記入力された宛先と前記選択された１つの宛先とが一致すると判定されなかった場合には宛先の再入力を促す情報を表示する
請求項１に記載の通信端末装置。
【請求項３】
前記宛先生成部は、
文字列をランダムに発生させることにより、前記複数の宛先を生成する
請求項１または２に記載の通信端末装置。
【請求項４】
前記宛先生成部は、
前記入力された宛先の文字列の一部をランダムに発生させた文字列に置き換えることにより、前記複数の宛先のうち、少なくとも１つの宛先を生成する
請求項１または２に記載の通信端末装置。
【請求項５】
前記表示部は、
前記入力された宛先と生成された前記複数の宛先とが配列された宛先一覧として表示し、前記入力された宛先の位置を前記宛先一覧にランダムに表示する
請求項１〜４のいずれか１項に記載の通信端末装置。
【請求項６】
前記宛先は電話番号である
請求項１〜５のいずれか１項に記載の通信端末装置。
【請求項７】
前記宛先はメールアドレスである
請求項１〜５のいずれか１項に記載の通信端末装置。
【発明の詳細な説明】
【技術分野】
【０００１】
本発明は、ユーザによって入力された宛先に基づいて、相手先通信端末装置への通信を実行する通信端末装置に関する。
【背景技術】
【０００２】
一般に、通信端末装置において、通信する相手先の宛先を誤って入力することによりデータが誤通信されてしまう場合が往々にしてある。データが誤った相手先に通信された場合、全く関係のない第三者にとっては迷惑となる。また、誤送信されたデータが機密性の高い情報（例えば顧客の個人情報や企業情報等）である場合、第三者に秘密情報が流出してしまう問題が生じる。
【０００３】
そこで、上記のようなデータの誤通信をいかに防止するかについて、様々な研究がなされている。
【０００４】
例えば、特許文献１には、相手先ファクシミリ（ＦＡＸ）装置のＦＡＸ番号をユーザに２度入力させ、前記２度の入力の内容が一致する場合にのみファクシミリ送信を許可するファクシミリ装置が開示されている。
【先行技術文献】
【特許文献】
【０００５】
【特許文献１】特開平２−２０００５８号公報
【発明の概要】
【発明が解決しようとする課題】
【０００６】
しかしながら、上記特許文献１に記載されたファクシミリ装置は、１０桁前後のＦＡＸ番号を２度入力するので、ユーザにとっては手間がかかる作業となる。
【０００７】
そこで、本発明は、このような状況に鑑みてなされたものであり、効率的な処理によりデータの誤通信を防止することができる通信端末装置を提供することを目的とする。
【課題を解決するための手段】
【０００８】
上記目的を達成するために、本発明の一形態に係る通信端末装置は、ユーザによって入力された宛先に基づいて、相手先通信端末装置への通信を実行する通信端末装置であって、前記入力された宛先を取得する受付部と、前記入力された宛先に基づいて、前記入力された宛先とは異なる複数の宛先を生成する宛先生成部と、前記入力された宛先と生成された前記複数の宛先とを表示する表示部と、前記表示部に表示された、前記入力された宛先と生成された前記複数の宛先との中から、ユーザによって選択された１つの宛先を取得する選択部と、前記入力された宛先と前記選択された１つの宛先とが一致するかどうかを判定する判定部と、前記判定部によって、前記入力された宛先と前記選択された１つの宛先とが一致すると判定された場合には前記相手先通信端末装置への通信を実行し、一致すると判定されなかった場合には前記相手先通信端末装置への通信を実行しない通信部とを備える。
【０００９】
これにより、２度目の宛先を入力する際には、ユーザは、表示された複数の宛先の中から正しい宛先を１つ選択すればよいので、効率的な処理によりデータの誤通信を防止することができる。
【００１０】
また、前記表示部は、前記判定部が前記入力された宛先と前記選択された１つの宛先とが一致すると判定されなかった場合には宛先の再入力を促す情報を表示することが好ましい。
【００１１】
これにより、再度宛先の入力を促すので、誤通信を防止するための効果を向上させることができる。
【００１２】
また、前記宛先生成部は、文字列をランダムに発生させることにより、前記複数の宛先を生成する。
【００１３】
これにより、入力された宛先とは全く異なる複数の宛先を生成することができる。
【００１４】
また、前記宛先生成部は、前記入力された宛先の文字列の一部をランダムに発生させた文字列に置き換えることにより、前記複数の宛先のうち、少なくとも１つの宛先を生成する。
【００１５】
これにより、入力された宛先とは全く異なる宛先だけでなく、入力された宛先に近い宛先も生成することができる。
【００１６】
また、前記表示部は、前記入力された宛先と生成された前記複数の宛先とが配列された宛先一覧として表示し、前記入力された宛先の位置を前記宛先一覧にランダムに表示することが好ましい。
【００１７】
これにより、正しい宛先が表示される位置が一定とならないので、誤通信を防止するための効果を向上させることができる。
【００１８】
また、前記宛先は電話番号としてもよい。
【００１９】
また、前記宛先はメールアドレスとしてもよい。
【００２０】
なお、電話番号とは、電話機で使用する電話番号及びファクシミリ送信で使用するＦＡＸ番号等を含む。
【００２１】
また、宛先とは、電話機で使用する電話番号、ファクシミリ送信で使用するＦＡＸ番号及びメールアドレス等を含む。
【００２２】
また、文字列とは、アルファベット、数字またはそれらの組み合わせによって構成された文字列等を含む。
【００２３】
また、通信とは、ファクシミリ送信、メール送信及び電話での通話等を含む。
【発明の効果】
【００２４】
本発明により、効率的な処理によりデータの誤通信を防止することができる。
【図面の簡単な説明】
【００２５】
【図１】図１は、本発明の実施の形態に係るファクシミリ装置を含む通信システムの構成を示す図である。
【図２】図２は、本発明の実施の形態に係るファクシミリ装置のハードウェア構成を示す図である。
【図３】図３は、本発明の実施の形態に係るファクシミリ装置の特徴的な機能の構成を示すブロック図である。
【図４】図４は、本発明の実施の形態に係るファクシミリ装置によるファクシミリ送信の手順を示すフローチャートを示す図である。
【図５】図５は、本発明の実施の形態に係るＦＡＸ番号の入力を促す表示例を示す図である。
【図６】図６は、本発明の実施の形態に係るＦＡＸ番号の選択を促す表示例を示す図である。
【図７】図７は、本発明の実施の形態に係るファクシミリ送信を実行する際の表示例を示す図である。
【発明を実施するための形態】
【００２６】
以下、本発明の実施の形態について、図面を用いて詳細に説明する。なお、本発明の実施の形態では、通信端末装置がファクシミリ（ＦＡＸ）装置である場合について説明する。
【００２７】
図１は、本発明の実施の形態に係るファクシミリ装置を含む通信システムの構成を示す図である。この通信システムでは、本発明の実施の形態に係るファクシミリ装置１は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ；公衆電話交換回線網）３を介して、ファクシミリの送受信の相手先となる相手先ファクシミリ装置２に接続される。
【００２８】
ファクシミリ装置１は、後述するように、誤送信を防止する各種機能を備える点に特徴を有する。このファクシミリ装置１は、例えば、ＭＦＰ（Ｍｕｌｔｉ  Ｆｕｎｃｔｉｏｎ  Ｐｅｒｉｐｈｅｒａｌｓ；複合機）等である。ハードウェア構成として、図２に示されるように、ＣＰＵ１０、ＲＯＭ２０、ＲＡＭ３０、モデム４０、ＮＣＵ（Ｎｅｔｗｏｒｋ  Ｃｏｎｔｒｏｌ  Ｕｎｉｔ）５０、操作パネル６０、ディスプレイ７０、スキャナ８０、プリンタ９０及びＬＡＮＩ／Ｆ（ＬＡＮインターフェース）１００を備える。
【００２９】
ＣＰＵ１０は、ＲＯＭ２０に格納された制御プログラム２５を実行するプロセッサである。
【００３０】
ＲＯＭ２０は、制御プログラム２５等を保持する読み出し専用メモリである。
【００３１】
ＲＡＭ３０は、ＣＰＵ１０が制御プログラム２５を実行するときに使用するワークエリア、操作パネル６０によって入力されたデータ、スキャナ８０で読み込まれた画像データ及び相手先ファクシミリ装置２から送信されてきた画像データ等を一時的に保持する揮発性の記憶領域等を有する読み書き可能なメモリである。
【００３２】
モデム４０は、ファクシミリ送信される画像データを変調する。また、モデム４０は、外部からファクシミリ送信されてきた画像データを復調するファックスモデムである。
【００３３】
ＮＣＵ５０は、ＰＳＴＮ３と接続される回線終端装置である。
【００３４】
操作パネル６０は、ユーザからの操作（例えば、ＦＡＸ番号の入力等）を受け付けるパネルである。
【００３５】
ディスプレイ７０は、液晶表示装置（ＬＣＤ）等であり、ユーザとの対話に使用する。また、ディスプレイ７０は、ファクシミリ装置１の動作状態を表示する。
【００３６】
スキャナ８０は、ファクシミリ送信及びプリンタ９０に複写を行う原稿の内容をＣＣＤ等で読み取り、画像データを生成する画像読み取り装置である。
【００３７】
プリンタ９０は、印刷するための装置であり、例えば、相手先ファクシミリ装置２からＰＳＴＮ３、ＮＣＵ５０及びモデム４０を介して送信された画像データ（ファクシミリ受信データ）及びスキャナ８０からの読み取り内容等を印刷する。
【００３８】
ＬＡＮＩ／Ｆ１００は、このファクシミリ装置１とＬＡＮとを接続する通信アダプタである。
【００３９】
なお、操作パネル６０は、ディスプレイ７０上に設けられていてもよいし、ディスプレイ７０とは別に設けられていてもよい。
【００４０】
図３は、本発明の実施の形態に係るファクシミリ装置１の特徴的な機能の構成を示すブロック図である。つまり、図２に示されるハードウェア構成によって発揮されるファクシミリ装置１の機能のうち、本発明に関わる機能を示すブロック図である。
【００４１】
このファクシミリ装置１は、機能的には、受付部２００、宛先生成部２１０、表示部２２０、選択部２３０、判定部２４０及び通信部２５０を備える。
【００４２】
受付部２００は、入力されたＦＡＸ番号を、図２における操作パネル６０等によって取得する。
【００４３】
宛先生成部２１０は、図２におけるＣＰＵ１０と制御プログラム２５等によって実現される処理部であり、受付部２００によって取得されたＦＡＸ番号（以下、入力されたＦＡＸ番号とも呼ぶ）に基づき、入力されたＦＡＸ番号とは異なる複数のＦＡＸ番号を生成する。
【００４４】
表示部２２０は、図２におけるＣＰＵ１０と制御プログラム２５とディスプレイ７０等によって実現されるものである。表示部２２０は、宛先生成部２１０からの指示に従って、入力されたＦＡＸ番号と、宛先生成部２１０によって生成された複数のＦＡＸ番号とを表示する。また、表示部２２０は、受付部２００からの指示に従って、ＦＡＸ番号の入力を促す表示も行う。さらに、表示部２２０は、後述する通信部２５０からの指示に従って、ファクシミリ送信に関する結果についても表示する。
【００４５】
選択部２３０は、表示部２２０に表示された、入力されたＦＡＸ番号を含む複数のＦＡＸ番号の中から、ユーザによって選択された１つのＦＡＸ番号を、図２における操作パネル６０等によって取得する。
【００４６】
判定部２４０は、図２におけるＣＰＵ１０と制御プログラム２５等によって実現される処理部である。判定部２４０は、入力されたＦＡＸ番号と、選択部２３０によって取得されたＦＡＸ番号（以下、選択された１つのＦＡＸ番号とも呼ぶ）とが一致するかどうかを判定する。
【００４７】
通信部２５０は、図２におけるＣＰＵ１０と制御プログラム２５とモデム４０とＮＣＵ５０等によって実現される処理部である。通信部２５０は、判定部２４０によって、入力されたＦＡＸ番号と選択された１つのＦＡＸ番号とが一致すると判定された場合には、相手先ファクシミリ装置２への送信を実行し、一致すると判断されなかった場合には、相手先ファクシミリ装置２への送信を実行しない。ここで、ファクシミリ送信とは、スキャナ８０で読み取られた画像データを、モデム４０、ＮＣＵ５０及びＰＳＴＮ３を介して相手先ファクシミリ装置２に送信する処理である。
【００４８】
次に、以上のように構成された本実施の形態に係るファクシミリ装置１の動作について説明する。
【００４９】
図４は、本発明の実施の形態に係るファクシミリ装置によるファクシミリ送信の手順を示すフローチャートを示す図である。
【００５０】
まず、受付部２００は、ユーザが入力したＦＡＸ番号を取得する（Ｓ１００）。このとき、ユーザは、ファクシミリ送信したい原稿をスキャナ８０にセットし、図５に示すように、操作パネル６０によって、送信したい相手先のＦＡＸ番号を入力した後に、Ｅｎｔｅｒキーを押す。
【００５１】
Ｅｎｔｅｒキーが押された場合、宛先生成部２１０は、受付部２００によって取得されたＦＡＸ番号（入力されたＦＡＸ番号）に基づいて、入力されたＦＡＸ番号とは異なる複数のＦＡＸ番号を生成する（Ｓ１１０）。このとき、宛先生成部２１０は、入力されたＦＡＸ番号の数字列の一部または全部が、ランダムに発生させた数字列に置き換えることにより、複数のＦＡＸ番号のうち少なくとも１つの宛先を生成する。なお、生成するＦＡＸ番号のうち、市外局番の部分は置き換えないことが好ましい。
【００５２】
そして、表示部２２０は、入力されたＦＡＸ番号と、宛先生成部２１０によって生成された複数のＦＡＸ番号とを、図６に示すように、ＦＡＸ番号一覧（本発明の宛先一覧に相当する）として表示する（Ｓ１２０）。このとき、入力されたＦＡＸ番号の位置が図６に示すＦＡＸ番号一覧中の何段目に表示されるかについては、ランダムに決定される。
【００５３】
そして、選択部２３０は、図６に示すＦＡＸ番号一覧の中から、ユーザによって選択されたＦＡＸ番号を取得する（Ｓ１３０）。このとき、図６に示すように、操作パネル６０によって、（Ｓ１００）においてユーザが入力したＦＡＸ番号と同じもの、すなわち、送信したい相手先のＦＡＸ番号をユーザは選択する。
【００５４】
そして、判定部２４０は、入力されたＦＡＸ番号と、選択されたＦＡＸ番号とが一致するかどうかを判定する（Ｓ１４０）。判定部２４０が、一致すると判定した場合（Ｓ１４０でＹＥＳ）には、通信部２５０はファクシミリ送信を実行する（Ｓ１５０）。判定部２４０が、一致すると判定しなかった場合（Ｓ１４０でＮＯ）には、通信部２５０はファクシミリ送信を実行しない。このようなファクシミリ送信に関する結果、つまり、実行されたかどうかについての情報は、表示部２２０に表示される。
【００５５】
なお、（Ｓ１４０でＮＯ）の場合に、表示部２２０はユーザにＦＡＸ番号の再入力を促す情報を表示してもよい。
【００５６】
また、（Ｓ１４０でＮＯ）の場合に、宛先生成部２１０は、ＲＡＭ３０に一時的に保持されている、入力されたＦＡＸ番号に基づいて、再度複数のＦＡＸ番号を生成してもよい。
【００５７】
さらに、（Ｓ１４０でＮＯ）の場合に、表示部２２０は、ＦＡＸ番号一覧の中から、入力されたＦＡＸ番号の再選択を促す情報を表示してもよい。また、その際に、表示部２２０は入力されたＦＡＸ番号の位置を再度変更してもよい。
【００５８】
以上の手順によって、図７に示されるように、判定部２４０が、入力されたＦＡＸ番号と、選択されたＦＡＸ番号とが一致すると判定した場合には、ファクシミリ送信が実行される（その旨が表示部２２０に表示される）。また、判定部２４０が一致すると判定しない場合には、ファクシミリ送信が実行されない（その旨、例えば、ＦＡＸ番号の再入力を促す旨が表示部２２０に表示される）。
【００５９】
以上、本発明の実施の形態に係る通信端末装置について説明したが、本発明は、この実施の形態に限定されるものではない。
【００６０】
例えば、上記実施の形態は、ファクシミリ送信時を例として説明したが、例えば、通信端末装置が携帯電話機として、通話またはメール送信時に本発明を用いてもよい。なお、メール送信時には、入力されたメールアドレスの一部又は全部を、ランダムに発生させた文字列に置き換えることにより、複数のメールアドレスのうち少なくとも１つのメールアドレスを生成する。このとき、＠やトップレベルドメイン（．ｊｐ、．ｃｏｍなど）は置き換えないことが望ましい。
【００６１】
また、図６において、ＦＡＸ番号一覧に表示されているＦＡＸ番号は５種類であるが、ＦＡＸ番号一覧は、入力されたＦＡＸ番号と、少なくとも１種類の生成されたＦＡＸ番号とを保持していればよい。
【００６２】
また、構成要素間の接続関係は、本発明を具体的に説明するために例示するものであり、本発明の機能を実現する接続関係はこれに限定されない。
【００６３】
また、図３における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を上記通信端末装置が並列または時分割に処理してもよい。
【００６４】
また、上記通信端末装置の構成は、本発明を具体的に説明するために例示するためのものであり、本発明に係る通信端末装置は、上記構成の全てを必ずしも備える必要はない。言い換えると、本発明に係る通信端末装置は、本発明の効果を実現できる最小限の構成のみを備えればよい。
【００６５】
同様に、図４は、本発明を具体的に説明するために例示するためのものであり、上記ステップの全てを必ずしも含む必要はない。言い換えると、図４は、本発明の効果を実現できる最小限のステップのみを含めばよい。また、上記のステップが実行される順序は、本発明を具体的に説明するために例示するためのものであり、上記以外の順序であってもよい。また、上記ステップの一部が、他のステップと同時（並列）に実行されてもよい。
【００６６】
さらに、本発明の主旨を逸脱しない限り、本実施の形態に対して当業者が思いつく範囲内の変更を施した各種変形例も本発明に含まれる。
【産業上の利用可能性】
【００６７】
本発明は、例えば、ファクシミリ送信、電話での通話またはメール送信の際において、効率的な処理によりデータの誤通信を防止することができる通信端末装置として利用することができる。
【符号の説明】
【００６８】
１  ファクシミリ装置
２  相手先ファクシミリ装置
３  ＰＳＴＮ
１０  ＣＰＵ
２０  ＲＯＭ
２５  制御プログラム
３０  ＲＡＭ
４０  モデム
５０  ＮＣＵ
６０  操作パネル
７０  ディスプレイ
８０  スキャナ
９０  プリンタ
１００  ＬＡＮＩ／Ｆ
２００  受付部
２１０  宛先生成部
２２０  表示部
２３０  選択部
２４０  判定部
２５０  通信部
【図１】
2013004996.tif 000003
【図２】
2013004996.tif 000004
【図３】
2013004996.tif 000005
【図４】
2013004996.tif 000006
【図５】
2013004996.tif 000007
【図６】
2013004996.tif 000008
【図７】
2013004996.tif 000009